(57)【特許請求の範囲】
【請求項１】
利用者の体に装着されて使用される動作情報測定装置であって、
利用者の動きを検出する検出部と、
前記検出部により検出される動きに基づいて前記利用者の動作情報を測定する動作情報測定部と、
前記検出部及び前記動作情報測定部を有し、他の利用者の体に装着された他の動作情報測定装置と近距離無線通信を行うための通信部と、
前記通信部を介して受信した情報を用いて、自装置の前記検出部が任意のタイミングで検出した動きに基づいて識別された前記利用者の第一の動作と、前記任意のタイミングから第一の閾値の時間が経過するまでの期間内に前記他の動作情報測定装置の前記検出部が検出した動きに基づいて識別された前記他の利用者の第二の動作とを比較し、それらが一致するか否かを判定する動作一致判定部と、
前記動作一致判定部による判定の結果に基づいて、電子ゲームのゲームプログラムを実行する実行部に特定機能を実行させるための指令信号を出力するか否かを決定する指令信号出力決定部と、を備え、
前記指令信号出力決定部は、前記第一の動作と一致する前記第二の動作を行う他の利用者の数が第二の閾値以上になる場合に、前記指令信号を前記実行部に出力することを決定する動作情報測定装置。
【請求項２】
請求項１記載の動作情報測定装置であって、
前記実行部は、自装置と通信可能な電子機器が有するものである動作情報測定装置。
【請求項３】
請求項１又は２記載の動作情報測定装置であって、
前記動作一致判定部は、前記第一の動作を示す前記検出部の検出情報から抽出される特徴点と、前記第二の動作を示す前記検出部の検出情報から抽出される特徴点との比較により、前記第一の動作と前記第二の動作が一致するか否かを判定する動作情報測定装置。
【請求項４】
利用者の動きを検出する検出部と、前記検出部により検出される動きに基づいて利用者の動作情報を測定する動作情報測定部と、前記検出部及び前記動作情報測定部を有する他の動作情報測定装置と近距離無線通信を行うための通信部と、を有する動作情報測定装置を利用者の体に装着して電子ゲームの機能を制御する機能制御方法であって、
前記通信部を介して、他の利用者の体に装着された前記他の動作情報測定装置から情報を受信し、自装置の前記検出部が任意のタイミングで検出した動きに基づいて識別された前記自装置の利用者の第一の動作と、前記任意のタイミングから第一の閾値の時間が経過するまでの期間内に前記他の動作情報測定装置の前記検出部が検出した動きに基づいて識別された前記他の利用者の第二の動作とを比較し、それらが一致するか否かを判定する動作一致判定ステップと、
前記動作一致判定ステップによる判定の結果に基づいて、電子ゲームのゲームプログラムを実行する実行部に特定機能を実行させるための指令信号を出力するか否かを決定する指令信号出力決定ステップと、を備え、
前記指令信号出力決定ステップでは、前記第一の動作と一致する前記第二の動作を行う他の利用者の数が第二の閾値以上になる場合に、前記指令信号を前記実行部に出力することを決定する機能制御方法。
【請求項５】
コンピュータを、請求項１〜３のいずれか１項記載の動作情報測定装置における前記動作情報測定部、前記動作一致判定部、及び前記指令信号出力決定部として機能させるためのプログラム。
【発明の詳細な説明】
【技術分野】
【０００１】
本発明は、動作情報測定装置、機能制御方法、及びプログラムに関する。
【背景技術】
【０００２】
近年、加速度センサ及び角速度センサ等の体の動きを検出する動き検出センサを用いることにより、人の行動（歩行、走行、階段昇降、睡眠等の人の動作状態を示す情報）を識別したり、活動量（歩数、歩行距離、消費カロリー等の人の活動の大きさを示す情報）を測定したりすることのできる装置の開発が盛んである。本明細書では、行動種別と活動量の情報を総称して動作情報ともいう。
【０００３】
このような動き検出センサを用いて、利用者が行った特定のジェスチャを認識し、そのジェスチャに応じたコマンド（留守番電話応答やメール受信に移行するコマンド）を出力する機能を有する携帯電話機が特許文献１に開示されている。
【０００４】
また、特許文献２には、心拍計からのデータを受信して表示可能な時計において、動き検出センサによって検知した姿勢が特定の姿勢になった場合に、心拍計からのデータ受信を開始することで省電力化を図るものが開示されている。
【先行技術文献】
【特許文献】
【０００５】
【特許文献１】特開２００５−２８６８０９号公報
【特許文献２】特開２０１３−１３２４２０号公報
【発明の概要】
【発明が解決しようとする課題】
【０００６】
特許文献１，２に記載されているように、装置を装着する人の動きによって特定の動作を開始させることのできる技術が存在する。これらの技術は、１つの装置の動きによって特定の動作の開始を制御するものである。このため、利用者が意図しない形で特定の動作が開始される可能性がある。
【０００７】
例えば、特定の動作として、電子機器のロック解除を想定する。この場合、電子機器の使用を許可されていない人が、使用を許可されている人の行動を真似ることでロック解除を行うことができてしまい、電子機器の安全性が低下する。また、特定のジェスチャを行うことで他装置との特定情報の送受信を開始するようなことを想定した場合には、意図しない相手と特定情報の送受信を開始できる状態になってしまう可能性があり、安全性が低下する。
【０００８】
本発明は、上記事情に鑑みてなされたものであり、目的とする特定機能の実行を確実にコントロールすることのできる動作情報測定装置、機能制御方法、及びプログラムを提供することを目的とする。
【課題を解決するための手段】
【０００９】
本発明の動作情報測定装置は、利用者の体に装着されて使用される動作情報測定装置であって、利用者の動きを検出する検出部と、前記検出部により検出される動きに基づいて前記利用者の動作情報を測定する動作情報測定部と、前記検出部及び前記動作情報測定部を有し、他の利用者の体に装着された他の動作情報測定装置と近距離無線通信を行うための通信部と、前記通信部を介して受信した情報を用いて、自装置の前記検出部が任意のタイミングで検出した動きに基づいて識別された前記利用者の第一の動作と、前記任意のタイミングから第一の閾値の時間が経過するまでの期間内に前記他の動作情報測定装置の前記検出部が検出した動きに基づいて識別された前記他の利用者の第二の動作とを比較し、それらが一致するか否かを判定する動作一致判定部と、前記動作一致判定部による判定の結果に基づいて、電子ゲームのゲームプログラムを実行する実行部に特定機能を実行させるための指令信号を出力するか否かを決定する指令信号出力決定部と、を備え、前記指令信号出力決定部は、前記第一の動作と一致する前記第二の動作を行う他の利用者の数が第二の閾値以上になる場合に、前記指令信号を前記実行部に出力することを決定するものである。
【００１０】
本発明の機能制御方法は、利用者の動きを検出する検出部と、前記検出部により検出される動きに基づいて利用者の動作情報を測定する動作情報測定部と、前記検出部及び前記動作情報測定部を有する他の動作情報測定装置と近距離無線通信を行うための通信部と、を有する動作情報測定装置を利用者の体に装着して電子ゲームの機能を制御する機能制御方法であって、前記通信部を介して、他の利用者の体に装着された前記他の動作情報測定装置から情報を受信し、自装置の前記検出部が任意のタイミングで検出した動きに基づいて識別された前記自装置の利用者の第一の動作と、前記任意のタイミングから第一の閾値の時間が経過するまでの期間内に前記他の動作情報測定装置の前記検出部が検出した動きに基づいて識別された前記他の利用者の第二の動作とを比較し、それらが一致するか否かを判定する動作一致判定ステップと、前記動作一致判定ステップによる判定の結果に基づいて、電子ゲームのゲームプログラムを実行する実行部に特定機能を実行させるための指令信号を出力するか否かを決定する指令信号出力決定ステップと、を備え、前記指令信号出力決定ステップでは、前記第一の動作と一致する前記第二の動作を行う他の利用者の数が第二の閾値以上になる場合に、前記指令信号を前記実行部に出力することを決定するものである。
【００１１】
本発明のプログラムは、コンピュータを、前記動作情報測定装置における前記動作情報測定部、前記動作一致判定部、及び前記指令信号出力決定部として機能させるためのプログラムである。本発明のプログラムは、コンピュータを、前記実行部として機能させるためのプログラムである。
【発明の効果】
【００１２】
本発明によれば、目的とする特定機能の実行を確実にコントロールすることのできる動作情報測定装置、機能制御方法、及びプログラムを提供することができる。
【図面の簡単な説明】
【００１３】
【図１】本発明の一実施形態を説明するためのシステム１００の概略構成を示す図である。
【図２】図１の動作情報測定装置１０の記憶部５に記憶された装置プログラムをプロセッサが実行することにより制御部２によって実現される機能ブロックを示す図である。
【図３】特定動作が行われたときに検出部１により検出される検出情報（加速度信号波形）の一例を示す図である。
【図４】システム１００における動作情報測定装置１０の動作を説明するためのフローチャートである。
【図５】システム１００においてスマートフォン３０を省略したシステム１００Ａの動作を説明するためのフローチャートである。
【発明を実施するための形態】
【００１４】
以下、本発明の実施形態について図面を参照して説明する。
【００１５】
図１は、本発明の一実施形態を説明するためのシステム１００の概略構成を示す図である。システム１００は、複数（図１の例では３つ）の動作情報測定装置１０と、動作情報測定装置１０と通信可能な電子機器としてのスマートフォン３０と、を備える。動作情報測定装置１０は、利用者（利用者）の体に装着されて使用されるものであり、具体例としては歩数計や活動量計である。
【００１６】
システム１００では、複数の動作情報測定装置１０のいずれか１つがハブとなってスマートフォン３０と通信し、このハブがハブを除く他の動作情報測定装置１０（以下、他装置１０ともいう）と通信する構成となっている。
【００１７】
各動作情報測定装置１０は、検出部１と、全体を統括制御する制御部２と、通信部３と、操作部４と、フラッシュメモリやＲＯＭ（Ｒｅａｄ  Ｏｎｌｙ  Ｍｅｍｏｒｙ）等の記憶媒体を含む記憶部５と、各種情報を表示するための表示部６と、を備える。
【００１８】
検出部１は、動作情報測定装置１０が装着された利用者の体の部位の動きに応じた情報を検出するものであり、体動検出部１１と、高度検出部１２と、を備える。
【００１９】
体動検出部１１は、動作情報測定装置１０が装着された利用者の体の部位の動き（加速度、角速度等）を検出するものであり、加速度センサ及び角速度センサ等の各種モーションセンサと、各種モーションセンサから出力された信号を処理する信号処理部とを含む。体動検出部１１は少なくとも１つのモーションセンサとこのモーションセンサからの信号を処理する信号処理部を含んでいればよい。
【００２０】
高度検出部１２は、気圧センサを含み、気圧センサの検出信号を処理して、動作情報測定装置１０が装着されている部位の高度を検出する。なお、高度検出部１２は省略してもよい。動作情報測定装置１０の装着部位の高度は、利用者の動き（例えば、階段昇降）によって変化する。したがって、この高度の情報も、動作情報測定装置１０を装着した部位の動きに応じた情報となる。
【００２１】
制御部２は、記憶部５のＲＯＭに記憶された装置プログラムを実行するプロセッサを主体に構成される。
【００２２】
通信部３は、スマートフォン３０と他装置１０とを含む他の電子機器と近距離無線通信を行うためのインターフェースである。近距離無線通信とは、インターネット等のネットワークを介さずに装置間で直接情報の送受信を行うことを言う。
【００２３】
このようなインターフェースとしては、ＡＮＴに準拠した通信インターフェース、ＷＩＦＩに準拠した通信インターフェース、ブルートゥースに準拠した通信インターフェース等が用いられる。なお、動作情報測定装置１０とスマートフォン３０との通信は、インターネット等のネットワークを介した通信により行ってもよい。
【００２４】
操作部４は、制御部２に各種指示を入力するためのデバイスであり、ボタンや表示部６に搭載されたタッチパネル等により構成される。
【００２５】
スマートフォン３０は、通信部３１と、制御部３２と、表示部３３と、を備える。
【００２６】
通信部３１は、動作情報測定装置１０の通信部３と通信するためのインターフェースである。
【００２７】
制御部３２は、メモリを内蔵したプロセッサにより構成される。このメモリにはゲームプログラムが記憶されている。プロセッサが、ゲームプログラムを実行することにより、表示部３３にゲーム画面を表示させ、このゲーム画面で遊べる電子ゲームが提供される。また、制御部３２は、ゲームプログラムを実行することにより、実行部として機能する。
【００２８】
本実施形態において提供される電子ゲームは、敵キャラクタと対戦するゲームであるが、これは一例であり、限定されない。
【００２９】
制御部３２は、ゲームプログラムに基づく電子ゲームにおける敵キャラクタへの攻撃パラメータを、動作情報測定装置１０から通信部３１を介して転送されてきた指令信号にしたがって制御する。この攻撃パラメータは、敵キャラクタに与えることのできるダメージの大きさを決めるものである。
【００３０】
制御部３２は、動作情報測定装置１０から指令信号を受信していないときは、攻撃パラメータを基準値に設定する。一方、制御部３２は、動作情報測定装置１０から指令信号を受信したときは、指令信号にしたがって、攻撃パラメータを基準値よりも大きな値に設定する。
【００３１】
図２は、図１の動作情報測定装置１０の記憶部５に記憶された装置プログラムをプロセッサが実行することにより制御部２によって実現される機能ブロックを示す図である。
【００３２】
図２に示すように、制御部２は、動作情報測定部２０と、動作一致判定部２１と、指令信号出力決定部２２と、出力部２３と、を備える。
【００３３】
動作情報測定部２０は、検出部１により検出される検出情報に基づいて利用者の動作情報を測定する。動作情報は、利用者の行動種別と活動量の少なくとも一方を含む。
【００３４】
本明細書において、行動種別とは、歩いている、走っている、座っている、立ち止まっている、階段を昇降している、寝ている、学習している、食事している、等の人の動作状態のことを言う。例えば、階段の昇降は、高度検出部１２で検出される高度情報の変化によって識別することができる。歩いている、走っている、座っている、立ち止まっている、寝ている等の状態は、例えば体動検出部１１で検出される情報によって識別することができる。
【００３５】
動作一致判定部２１は、自装置の検出部１により任意のタイミングで検出された検出情報に基づく第一の動作と、この任意のタイミングから第一の閾値αの時間が経過するタイミングまでの期間に通信部３を介して他装置１０から受信した検出部１の検出情報に基づく第二の動作とが一致するか否かを判定する。第一の閾値αは、動作情報測定装置１０間での検出情報の送受信時に発生するタイムラグを考慮して設定される値である。
【００３６】
例えば、記憶部５には、予め決められた動作（例えば動作情報測定装置１０が手に装着するものである場合、装着した手でパンチを１回する動作）に応じた検出情報（動作波形データ）を登録しておく。
【００３７】
具体的には、利用者が動作情報測定装置１０を手に装着した状態でパンチをする動作を行うと、検出部１により、図３に示したように、この動作に応じた信号（加速度信号と角速度信号）が検出される。
【００３８】
動作情報測定装置１０の制御部２は、図３に示した単位期間（例えば１秒）における動作波形データを任意の動作を示す識別情報と対応付けて記憶部５に記憶して登録作業を終了する。この動作波形データは、複数種類登録しておくことも可能である。ここでは、動作波形データを利用者の実測データとして登録するものとしたが、動作波形データは動作情報測定装置１０の出荷時に規定データを登録しておいてもよい。
【００３９】
動作一致判定部２１は、検出部１により検出された検出情報（動作波形データ）が、記憶部５に登録された動作波形データと一致する場合に、当該動作波形データの識別情報で示される登録動作が利用者によりなされたことを検出する。動作一致判定部２１は、登録動作がなされたことを検出すると、その検出時刻を当該識別情報に対応付けて記憶部５に記憶する。
【００４０】
登録された動作波形データと実際に検出された動作波形データが一致するとは、２つの動作波形データが完全に一致する場合に限らない。例えば、登録された動作波形データから抽出される複数の特徴点（図３において破線の○で囲った加速度（又は角速度）が逆方向に変化する点）と、実際に検出された動作波形データから抽出される特徴点とを比較し、双方の特徴点の一致数が所定値以上のときに、２つの動作波形データが一致すると判定してもよい。２つの特徴点の一致についても、完全一致である必要はなく、２つの特徴点間の時間差及び加速度差が許容誤差範囲にあれば一致と判定する。
【００４１】
検出時刻を記憶した後、動作一致判定部２１は、他装置１０から受信した単位期間毎の検出情報（動作波形データ）を、上記登録動作の動作波形データと逐次比較する。
【００４２】
動作一致判定部２１は、この検出時刻から第一の閾値αの時間が経過する時刻までの期間に他装置１０から受信した動作波形データが、この検出時刻と対応付けて記憶された識別情報で示される動作波形データと一致するか否かを判定する。ここでの一致の判定方法は、上述した方法と同じである。
【００４３】
ここでは、識別情報と対応付けて登録されている動作波形データと他装置１０から受信した動作波形データとを比較して、両者が一致するか否かを判定しているが、上記検出時刻において自装置の検出部１により検出され、登録された動作波形データと一致すると判定された動作波形データそのものと、他装置１０から受信した動作波形データとを比較する構成であってもよい。
【００４４】
指令信号出力決定部２２は、動作一致判定部２１による判定の結果に基づいて、指令信号の入力があると特定機能を実行する実行部であるスマートフォン３０の制御部３２に、指令信号を出力するか否かを決定する。この指令信号は、上述した攻撃パラメータを指定するコマンド信号である。
【００４５】
出力部２３は、指令信号出力決定部２２により指令信号を出力すると決定された場合に、通信部３を介して、スマートフォン３０の制御部３２に指令信号を出力する。
【００４６】
以上の制御部２の機能は、動作情報測定装置１０がハブとして設定された場合に実現されるものである。動作情報測定装置１０がハブ以外に設定された場合、制御部２において、動作一致判定部２１、指令信号出力決定部２２、及び出力部２３は削除され、その代わりに、検出部１により検出される検出情報をハブとなる動作情報測定装置１０に定期的に送信する検出情報送信部が装置プログラムの実行により形成される。
【００４７】
以上のように構成されたシステム１００の動作を説明する。
【００４８】
図４は、システム１００における動作情報測定装置１０の動作を説明するためのフローチャートである。以下では、ハブとなる動作情報測定装置１０とスマートフォン３０との通信はブルートゥース通信により行い、動作情報測定装置１０間の通信はＡＮＴ通信により行うものとして説明する。
【００４９】
まず、任意の動作情報測定装置１０の利用者が、この動作情報測定装置１０を手首に装着し、スマートフォン３０のゲームプログラムを実行した上で、操作部４を操作して動作情報測定装置１０とスマートフォン３０とのペアリングを実施する。
【００５０】
これにより、この任意の動作情報測定装置１０とスマートフォン３０との通信が確立されて、この任意の動作情報測定装置１０がハブとして設定される。ハブとなった動作情報測定装置１０の制御部２は、ＡＮＴ通信の受信ＣＨをオープンにして、他装置１０からの検出情報の受信待機状態に移行する（ステップＳ１）。
【００５１】
ハブとなった動作情報測定装置１０の制御部２は、検出部１により検出される単位期間毎の検出情報を記憶部５に記憶された検出情報と比較し、双方が一致した場合に、利用者により登録動作（第一の動作）がなされたことを検出する（ステップＳ２：ＹＥＳ）。
【００５２】
制御部２は、第一の動作がなされたことを検出すると、その検出時刻Ｔ１を、その第一の動作の識別情報と対応付けて記憶部５に記憶する（ステップＳ３）。
【００５３】
次に、制御部２は、他装置１０から検出情報を受信すると（ステップＳ４：ＹＥＳ）、その検出情報の受信時刻Ｔを、第一の動作の検出時刻Ｔ１と比較する。
【００５４】
制御部２は、受信時刻Ｔが（検出時刻Ｔ１＋α）を超えていれば（ステップＳ５：ＮＯ）、ステップＳ２に処理を戻し、受信時刻Ｔが（検出時刻Ｔ１＋α）以下であれば（ステップＳ５：ＹＥＳ）、ステップＳ６の処理を行う。
【００５５】
ステップＳ６において、制御部２は、受信した検出情報と、上記第一の動作の識別情報に対応する検出情報とを比較して、受信した検出情報に基づく動作（第二の動作）が第一の動作と一致するか否かを判定する。
【００５６】
制御部２は、ステップＳ６の判定がＮＯであればステップＳ４に処理を戻し、ステップＳ６の判定がＹＥＳであれば、カウンタのカウント値Ｎ（Ｎの初期値は０）を（Ｎ＋１）に更新する（ステップＳ７）。
【００５７】
その後、制御部２は、カウント値Ｎが第二の閾値β（βは２以上の自然数）未満であれば（ステップＳ８：ＮＯ）、ステップＳ４に処理を戻す。制御部２は、カウント値Ｎが第二の閾値β以上であれば（ステップＳ８：ＹＥＳ）、第一の動作に対応した指令信号をスマートフォン３０に出力することを決定する（ステップＳ９）。
【００５８】
なお、指令信号は、記憶部５に予め登録される動作毎に記憶しておけばよい。記憶部５には、登録動作毎に、カウント値Ｎに比例して攻撃力を高くするための指令信号が記憶されていてもよい。
【００５９】
そして、制御部２は、第一の動作又は第一の動作及びカウント値Ｎに応じた指令信号を記憶部５から取得することで生成し、生成した指令信号を、通信部３を介してスマートフォン３０に送信する（ステップＳ１０）。
【００６０】
指令信号を受信したスマートフォン３０の制御部３２は、受信した指令信号にしたがって、ゲームの攻撃パラメータの設定を行い、この設定に基づく攻撃を敵キャラクタに対して実行する。言い換えると、制御部３２は、指令信号にしたがって、特定機能（敵キャラクタへの攻撃）の実行を行う。
【００６１】
以上のように、システム１００によれば、動作情報測定装置１０を所有する複数の利用者が、実質的に同じタイミングで実質的に同じ動作を行うことにより、スマートフォン３０で実行中のゲームにおける敵キャラクタへの攻撃力を高めた攻撃を実行することができる。
【００６２】
１人の利用者が特定動作を行うだけでは、強力な攻撃を行うという特定機能の実行がなされないため、ゲームの楽しみ方を増やすことができる。また、複数の利用者が実質的に同じタイミングで実質的に同じ動作を行うことで指令信号がスマートフォン３０に送信される。このため、指令信号が誤ってスマートフォン３０に送信される可能性は低く、複数の利用者の目的にあった動作をスマートフォン３０に対して確実に行わせることができる。
【００６３】
上述した第一の閾値αは、動作情報測定装置１０間の通信タイムラグを考慮し、複数の利用者が実質的に同じタイミングで動作を行ったことが判断できる程度の値に適宜設定すればよい。
【００６４】
以上の説明では、指令信号を、ゲームの攻撃パラメータを指定する信号として説明したが、これに限らない。例えば、スマートフォン３０がロックされている場合に、ハブの動作情報測定装置１０は、このロックを解除するための指令信号をスマートフォン３０に送信する構成としてもよい。
【００６５】
この構成によれば、複数の利用者が実質的に同じ動作を実質的に同じタイミングで行うことで、スマートフォン３０の制御部３２が指令信号にしたがってロックを解除する。このため、パスワードによるロックを行う場合と比較して、強固なセキュリティを実現することができる。
【００６６】
以上の説明では、システム１００が複数の動作情報測定装置１０とスマートフォン３０を備えるものとしたが、スマートフォン３０を省略し、動作情報測定装置１０を２つにしたシステム１００Ａであってもよい。
【００６７】
このシステム１００Ａでは、２つの動作情報測定装置１０が通信部３を介して行う通信について、初期設定では、各動作情報測定装置１０で測定された動作情報の送受信が禁止されている。
【００６８】
このシステム１００Ａにおいては、動作情報測定装置１０の制御部２が、装置プログラムを実行することにより、出力部２３から出力された指令信号にしたがって特定機能（上記の動作情報の送受信の禁止解除）を実行する実行部として機能する。また、出力部２３は、指令信号出力決定部２２により指令信号の出力が決定された場合に、この実行部に指令信号を出力する。
【００６９】
図５は、システム１００においてスマートフォン３０を省略したシステム１００Ａの動作を説明するためのフローチャートである。図５において図４と同じ処理には同一符号を付して説明を省略する。
【００７０】
図５において、２つの動作情報測定装置１０が通信部３で通信可能な距離に近づくと、一方の動作情報測定装置１０においてステップＳ２〜ステップＳ６の処理が行われる。そして、ステップＳ６の判定がＹＥＳのときステップＳ９の処理が行われ、一方の動作情報測定装置１０の出力部２３が指令信号を生成して実行部に指令信号を出力する。
【００７１】
一方の動作情報測定装置１０の実行部は、指令信号を受けると、ステップＳ４で受信した検出情報の送信元の他装置１０との通信制限（動作情報の送受信禁止）を解除する（ステップＳ１０Ａ）。
【００７２】
以上のように、システム１００Ａによれば、動作情報測定装置１０を所有する２人の利用者が、実質的に同じタイミングで実質的に同じ動作を行うことにより、２つの動作情報測定装置１０間での動作情報の送受信を開始することが可能となる。
【００７３】
動作情報測定装置１０同士で動作情報の交換を行うことで、例えば、動作情報測定装置１０の所有者同士の相性を判断したり、相手の活動量等を知って運動への意識を高めたりすることができる。
【００７４】
このような動作情報の交換は、２つの動作情報測定装置１０が通信可能になった時点で自動的に開始される構成も考えられるが、この構成では意図しない相手に動作情報が送られる可能性がある。
【００７５】
システム１００Ａによれば、動作情報の交換を望む利用者が、実質的に同じタイミングで実質的に同じ動作を行わなければ動作情報の交換はなされない。このため、意図しない情報の流出を防ぐことができる。
【００７６】
また、システム２Ａによれば、動作情報の交換を望む２人の利用者が、握手やハイタッチ等をすることで、動作情報の送受信が開始されるようなり、動作情報の送受信開始のための操作を不要とすることができる。
【００７７】
コンピュータを、動作情報測定装置１０の動作情報測定部２０、動作一致判定部２１、指令信号出力決定部２２、出力部２３、及び実行部として機能させるためのプログラム、及び、コンピュータを制御部３２として機能させるためのプログラムは、当該プログラムをコンピュータが読取可能な一時的でない（ｎｏｎ−ｔｒａｎｓｉｔｏｒｙ）記録媒体に記録されて提供可能である。
【００７８】
このような「コンピュータ読取可能な記録媒体」は、たとえば、ＣＤ−ＲＯＭ（Ｃｏｍｐａｃｔ  Ｄｉｓｃ−ＲＯＭ）等の光学媒体や、メモリカード等の磁気記録媒体等を含む。また、このようなプログラムを、ネットワークを介したダウンロードによって提供することもできる。
【００７９】
今回開示された実施形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【００８０】
以上説明してきたように、本明細書には以下の事項が開示されている。
【００８１】
開示された動作情報測定装置は、利用者の動きに応じた情報を検出する検出部を有する動作情報測定装置であって、前記検出部により検出される情報に基づいて利用者の動作情報を測定する動作情報測定部と、前記検出部及び前記動作情報測定部を有する他の動作情報測定装置と近距離無線通信を行うための通信部と、自装置の前記検出部により任意のタイミングで検出された検出情報に基づく第一の動作と、前記任意のタイミングから第一の閾値の時間が経過するタイミングまでの期間に前記通信部を介して前記他の動作情報測定装置から受信した前記検出部の検出情報に基づく第二の動作とが一致するか否かを判定する動作一致判定部と、前記動作一致判定部による判定の結果に基づいて、指令信号の入力があると特定機能を実行する実行部に前記指令信号を出力するか否かを決定する指令信号出力決定部と、を備えるものである。
【００８２】
開示された動作情報測定装置は、前記指令信号出力決定部は、複数の前記他の動作情報測定装置から前記期間に受信した検出情報に基づく第二の動作のうちの前記第一の動作と一致する数が第二の閾値以上になる場合に、前記指令信号を出力することを決定するものである。
【００８３】
開示された動作情報測定装置は、前記実行部は、自装置と通信可能な電子機器が有するものを含む。
【００８４】
開示された動作情報測定装置は、前記動作一致判定部は、前記第一の動作を示す前記検出部の検出情報から抽出される特徴点と、前記第二の動作を示す前記検出部の検出情報から抽出される特徴点との比較により、前記第一の動作と前記第二の動作が一致するか否かを判定するものである。
【００８５】
開示された機能制御方法は、利用者の動きに応じた情報を検出する検出部と、前記検出部により検出される情報に基づいて利用者の動作情報を測定する動作情報測定部と、前記検出部及び前記動作情報測定部を有する他の動作情報測定装置と近距離無線通信を行うための通信部と、を有する動作情報測定装置による機能制御方法であって、自装置の前記検出部により任意のタイミングで測定された検出情報に基づく第一の動作と、前記任意のタイミングから第一の閾値の時間が経過するタイミングまでの期間に前記通信部を介して前記他の動作情報測定装置から受信した前記検出部の検出情報に基づく第二の動作とが一致するか否かを判定する動作一致判定ステップと、前記動作一致判定ステップによる判定の結果に基づいて、指令信号の入力があると特定機能を実行する実行部に前記指令信号を出力するか否かを決定する指令信号出力決定ステップと、を備えるものである。
【００８６】
開示されたプログラムは、コンピュータを、前記動作情報測定装置における前記動作情報測定部、前記動作一致判定部、及び前記指令信号出力決定部として機能させるためのプログラムである。
【００８７】
開示されたプログラムは、コンピュータを、前記実行部として機能させるためのプログラムである。
【符号の説明】
【００８８】
１０  動作情報測定装置
１  検出部
２  制御部
２０  動作情報測定部
２１  動作一致判定部
２２  指令信号出力決定部
２３  出力部
３  通信部
３０  スマートフォン（電子機器）
３２  制御部（実行部）
【図１】
0006417794.tif 000002
【図２】
0006417794.tif 000003
【図３】
0006417794.tif 000004
【図４】
0006417794.tif 000005
【図５】
0006417794.tif 000006